(57)【特許請求の範囲】
【請求項１】
二本の握りバー（２ａ）（２ｂ）で構成された握り部（２）を有する握力計（１）において、二本の握りバー（２ａ）（２ｂ）をスライド可能に連結するスライド部（３）と、スライド部（３）の作用を固定・解除する解除体（４）が設けられ、二本の握りバー（２ａ）（２ｂ）の間隔を自在に変更調節でき、前記スライド部（３）は、テーパ穴（１９）を有する筒体でなるスライド体（１２）と、該スライド体（１２）を貫通するスライド棒（１３）とを有し、スライド棒（１３）の先端は他方握りバー（２ｂ）内の梁（９）に接続され、スライド体（１２）は一方握りバー（２ａ）に取着され、解除体（４）は、鋼球（２２）を保持してなり、スライド体（１２）に挿通され、前記鋼球（２２）をテーパ穴（１９）の狭径方向へ押圧すると、スライド棒（１３）はスライド体（１２）へ固定され、鋼球（２２）をテーパ穴（１９）の広径方向へ移動させると、スライド棒（１３）の固定が解除されることを特徴とするスライド式握力計。
【請求項２】
二本の握りバー（２ａ）（２ｂ）で構成された握り部（２）を有する握力計（１）において、二本の握りバー（２ａ）（２ｂ）をスライド可能に連結するスライド部（３）と、スライド部（３）の作用を固定・解除する解除体（４）が設けられ、二本の握りバー（２ａ）（２ｂ）の間隔を自在に変更調節でき、スライド部（３）が握り部（２）の両端に設けられ、左・右のスライド部（３）（３）に設けられる左・右の解除体（４）（４）が、解除バー（５）で一体的に接続されてなることを特徴とするスライド式握力計。
【請求項３】
解除バー（５）が一方握りバー（２ａ）の外側に設けられ、解除バー（５）と一方握りバー（２ａ）の間に、補助バー（６）が左・右のスライド部（３）（３）に架け渡して設けられることを特徴とする請求項２記載のスライド式握力計。
【発明の詳細な説明】
【０００１】
【産業上の利用分野】
本発明は、握力計に関し、特に、運動機能に障害を有する患者の握力を測定するスライド式握力計に関する。
【０００２】
【従来の技術】
従来の技術として、特許３１７９７１１号公報に、枠体と、移動体と、圧力検出素子と、押圧部材と、第１の伝動部材と、第２の伝動部材と、付勢部材と、ロック機構と、中握りと、握り幅調整ノブとからなる握力計が開示されている。
【０００３】
【発明が解決しようとする課題】
前記従来の技術では、中握りに握力に応じたストロークを持たせることができる。しかし、枠体と中握りとの距離は、握り幅調整ノブにより調整するものであるから、その距離調整に時間と手間が掛かり面倒であるという難点があった。
【０００４】
本発明の目的は、上記難点を解決したものであり、簡単な操作で、確実に二個の握りバーの距離調整ができるスライド式握力計を提供することにある。
【０００５】
【課題を解決するための手段】
即ち本発明は、二本の握りバー（２ａ）（２ｂ）で構成された握り部（２）を有する握力計（１）において、二本の握りバー（２ａ）（２ｂ）をスライド可能に連結するスライド部（３）と、スライド部（３）の作用を固定・解除する解除体（４）が設けられ、二本の握りバー（２ａ）（２ｂ）の間隔を自在に変更調節でき、前記スライド部（３）は、テーパ穴（１９）を有する筒体でなるスライド体（１２）と、該スライド体（１２）を貫通するスライド棒（１３）とを有し、スライド棒（１３）の先端は他方握りバー（２ｂ）内の梁（９）に接続され、スライド体（１２）は一方握りバー（２ａ）に取着され、解除体（４）は、鋼球（２２）を保持してなり、スライド体（１２）に挿通され、前記鋼球（２２）をテーパ穴（１９）の狭径方向へ押圧すると、スライド棒（１３）はスライド体（１２）へ固定され、鋼球（２２）をテーパ穴（１９）の広径方向へ移動させると、スライド棒（１３）の固定が解除されることを特徴とするスライド式握力計である。又、スライド部（３）が握り部（２）の両端に設けられ、左・右のスライド部（３）（３）に設けられる左・右の解除体（４）（４）が、解除バー（５）で一体的に接続されてなる。更に、解除バー（５）が一方握りバー（２ａ）の外側に設けられ、解除バー（５）と一方握りバー（２ａ）の問に、補助バー（６）が左・右のスライド部（３）（３）に架け渡して設けられる。
【０００６】
【作用】
施療者（＝測定者）は、本発明のスライド式握力計を用いて、患者（＝被測定者）の握力を測定する。
握り部２を構成する二本の握りバー２ａ・２ｂの間には間隔がある。握力を測定する時、被測定者は二本の握りバー２ａ・２ｂを握る。
二本の握りバー２ａ・２ｂを連結しているスライド部３は、当該スライド部３をスライド作動しながら二本の握りバー２ａ・２ｂを平行移動させて間隔調節する。
【０００７】
解除体４は、スライド部３の摺動を、非摺動状態になし（＝固定）、及び摺動状態になす（＝解除）。
施療者は、二本の握りバー２ａ・２ｂの間隔（＝距離）を、患者が測定するに適する間隔に変更する。
【０００８】
握り部２の両端に設けられるスライド部３は、二本の握りバー２ａ・２ｂのそれぞれの両端同士を連結する。
スライド部３は、通常はスライドしないが、スライド部３に設けられる解除体４をスライド部３の中央内部方向へ押圧するとスライド可能状態になる。
【０００９】
解除バー５を機器中央部へ押し、解除バー５に一体的に接続された左・右の解除体４を作動させ、左右のスライド部３を同時にスライド可能状態になし、二本の握りバー２ａ・２ｂの間隔調節をする。
【００１０】
解除バー５と一方握りバー２ａの間に補助バー６が設けられており、スライド部３の固定を解除する時には、一方握りバー２ａの外側に設けられる解除バー５と前記補助バー６とを握り、スライド部３をスライド可能状態にする。
【００１１】
補助バー６は左右のスライド部３に架け渡して設けられるから、前述のように補助バー６を握ると左右のスライド部３が一挙に解除される。施療者は、前述のように握っておいて二本の握りバー２ａ・２ｂの距離を適宜に変更し、その後に握り動作を止めて、調節を終了する。
【００１２】
【実施例】
図１乃至３、５、６に本発明の第１実施例を示している。
第１実施例の握力計１は、二本の握りバー２ａ・２ｂで構成された握り部２と、二本の握りバー２ａ・２ｂをスライド可能に連結するスライド部３と、スライド部３の摺動作用を非摺動状態に固定し及び非摺動状態を解除し摺動状態にする解除体４と、解除体４に接続して設けられる解除バー５と、解除バー５と一方握り部２ａとの空間位置に存在し、スライド部３に接続する補助バー６と、コントローラー７とからなる。
【００１３】
握り部２は、一方・他方握りバー２ａ・２ｂの二個からなり、握力を測定する時に患者が握るものである。
他方握りバー２ｂは、コ字形の枠体８と、枠体８内にあって、中央が枠体８に取着され両端が遊動状にして撓み可能になされた梁９と、梁９の複数箇所に貼着され、梁９の撓みを検出するセンサー１０とからなる。
【００１４】
コントローラー７には、握力値を数値表示及びグラフ表示する表示器１１、及び音発生器（図示省略）等が設けられ、該コントローラー７により前記センサー１０の出力は握力値に変換されて報知される。
【００１５】
スライド部３は、一方・他方握りバー２ａ・２ｂをスライド可能に連結するものである。
スライド部３は、スライド体１２と、該スライド体１２を貫通するスライド棒１３と、スライド棒１３のスライド作用を固定・解除する解除体４とからなる。
【００１６】
スライド棒１３の先端は他方握りバー２ｂ内の梁９に接続され、又、スライド体１２は一方握りバー２ａに取着される。スライド棒１３の基端は一方・他方握りバー２ａ・２ｂの離間距離を示す指示針１４となっている。
【００１７】
スライド部３は、二本の握りバー２ａ・２ｂのそれぞれの両端に設けられ、それぞれの両端同士を繋いで四辺形をなす。
スライド体１２をスライド棒１３がスライドしながら二本の握りバー２ａ・２ｂを平行移動可能に支持する。
【００１８】
解除体４は、スライド部３の作動を固定・解除するものであり、左・右スライド部３に設けられる。
【００１９】
解除バー５は、前記左・右解除体４・４を一体的に接続するものである。
一方握りバー２ａと他方握りバー２ｂは並設されており、一方握りバー２ａの一側に他方握りバー２ｂが配置され、一方握りバー２ａの他側（＝他方握りバー２ｂとは反対側）に解除バー５が配置される。
【００２０】
解除バー５と一方握りバー２ａとの空間に、補助バー６が、左・右のスライド体１２に架け渡され該左・右のスライド体１２を一体的に連結して設けられる。
【００２１】
図６に示すスライド部３は、テーパ穴１９を有する筒体でなるスライド体１２に、解除体４を挿通してなる。
解除体４には鋼球２２が保持され、該鋼球２２はバネ２１で、テーパ穴１９の狭径方向へ押圧され（図６中、上方向へ押圧）、スライド棒１３をスライド体１２へ固定する。
【００２２】
前記押圧状態下で、スライド棒１３をテーパ穴１９の径の縮小方向へ移動させようとすると、鋼球２２がスライド棒１３に食い込み、スライド棒１３は前記径の縮小方向へ移動できない。
【００２３】
手動により解除体４をバネ２１に抗して移動させ、鋼球２２をテーパ穴１９の広径方向へ移動させると（図６中、下方へ移動）、スライド棒１３の固定が解除され、該スライド棒１３はスライド体１２内を自在にスライドできる。
【００２４】
図５中、１５は、スライド部３を覆うカバー、１６は握力計１とコントローラー７を繋ぐコード、１７はキー、１８は窓、２０は目盛、図６中、２３は止め輪、２４は嵌入ネジである。
【００２５】
本発明を使用する場合は、先ず、施療者が当該患者の握力測定に適するように、患者の状態や形状に応じて、二本の握りバー２ａ・２ｂの間隔を調節する。
この間隔調節の際に、施療者は、補助バー６と解除バー５を片手で握り、解除バー５を補助バー６に接近するように押圧する。
【００２６】
上記押圧すると、スライド部３の解除体４が作用し、スライド部３の固定作用が解除され、スライド体１２に貫通されたスライド棒１３が自在摺動状態になる。このような自在摺動状態下で、施療者は、二本の握りバー２ａ・２ｂの間隔を適宜間隔に変更する。
【００２７】
適宜間隔になした時に、施療者は補助バー６と解除バー５の握り動作を止め、解除バー５を押圧から開放する。
【００２８】
解除バー５の開放により、解除体４も同時に開放され、スライド部３は固定状態になり、スライド棒１３はスライド体１２に固定される。この固定により二本の握りバー２ａ・２ｂの間隔調節は行なわれた。
【００２９】
次に、患者は、二本の握りバー２ａ・２ｂを、握力測定をしようとする片手で握る。握ると他方の握り部２中の梁９がスライド棒１３に押されて撓む。その撓みをセンサー１０が検出し、センサー１０の検出値を前記コントローラー７が握力値として表示器１１に数値又はグラフで表示する。
握力測定時に、施療者は必要に応じて解除バー５を持って、当該測定動作の補助をする。
【００３０】
第２実施例は、第１実施例の補助バー６を削除したものである。第２実施例の二本の握りバー２ａ・２ｂの間隔を変更調節する際は、施療者は、解除バー５と一方握りバー２ａを片手で握り、スライド部３の摺動状態にしておいて、他方握りバー２ｂを一方握りバー２ａに対して接近・離間移動させ適宜間隔になし、その後、前記握り動作を止めてスライド部３を固定状態になし、間隔調節を終了する。
握力測定の際は、第１実施例の時と同様に、患者は二本の握りバー２ａ・２ｂを握り、測定する。
【００３１】
【発明の効果】
本発明は、二本の握りバー２ａ・２ｂをスライド可能に連結するスライド部３と、スライド部３のスライドを固定・解除する解除体４が設けられ、スライド部（３）は、テーパ穴（１９）を有する筒体でなるスライド体（１２）と、スライド体（１２）を貫通するスライド棒（１３）とを有し、スライド棒（１３）の先端は他方握りバー（２ｂ）内の梁（９）に接続され、スライド体（１２）は一方握りバー（２ａ）に取着され、解除体（４）は、鋼球（２２）を保持してなり、スライド体（１２）に挿通され、鋼球（２２）をテーパ穴（１９）の狭径方向へ押圧すると、スライド棒（１３）はスライド体（１２）へ固定され、鋼球（２２）をテーパ穴（１９）の広径方向へ移動させると、スライド棒（１３）の固定が解除される構成であるから、二本の握りバー２ａ・２ｂの間隔を自在に変更でき、解除体４を操作することにより、二つの握り部２の間隔が、早く容易に無段階に変更調節でき、好都合である。
【００３２】
本発明は、スライド部３が握り部２の両端に設けられ、左・右スライド部３・３に設けられる左・右解除体４・４が、解除バー５で接続されてなるから、解除バー５と一方握り部２ａを握れば容易にスライド部３の固定作用を解除でき、二本の握りバー２ａ・２ｂの間隔調節が、早く容易に行なえ、好都合である。
【００３３】
又、解除バー５を施療者が持って測定の補助をすることもでき、その場合、患者は測定動作を行い易く、好都合である。
【００３４】
本発明は、解除バー５が一方握りバー２ａの外側に設けられ、解除バー５と一方握りバー２ａの間に、左・右のスライド部３に架け渡して補助バー６が設けられるものであるから、解除バー５と補助バー６の両者を同時に握ることが容易であり、二本の握りバー２ａ・２ｂの間隔の変更調節がし易く、好都合である。
【００３５】
又、先に述べた効果と同様に、上記構成のものも解除バー５を施療者が持って測定動作の補助をすれば、患者は測定動作を行い易く、好都合である。
【図面の簡単な説明】
【図１】本発明の第１実施例の握力計の断面図である。
【図２】本発明の実施例の握力計の左側面図である。
【図３】本発明の実施例の握力計の平面図である。
【図４】本発明の第２実施例の握力計の断面図である。
【図５】本発明の第１実施例の外観図である。
【図６】本発明のスライド部を示す断面図である。
【符号の説明】
１    握力計
２    握り部
２ａ  一方握りバー
２ｂ  他方握りバー
３    スライド部
４    解除体
５    解除バー
６    補助バー
【図１】
0003737761.tif 000002
【図２】
0003737761.tif 000003
【図３】
0003737761.tif 000004
【図４】
0003737761.tif 000005
【図５】
0003737761.tif 000006
【図６】
0003737761.tif 000007